(57)【要約】【課題】メンテナンス及び交換を迅速かつ容易に行うことができる上、小型で占有空間が小さいために運搬コスト及び材料コストを大幅に減らすことができるＬＥＤ照明モジュール構造を提供する。【解決手段】ＬＥＤ照明モジュール構造は、外筐体１１、回路基板１２、光反射ミラー１３及びランプカバー１４を備える。外筐体１１には、本体に接続される導電部１１１が端部に設けられ、収納槽１１２が内部に設けられ、放熱機能を備える多数の通気孔溝１１３を有する。回路基板１２は、外筐体１１の収納槽１１２内に対応するように嵌合され、その上に複数のＬＥＤランプ１２１が配置されている。光反射ミラー１３は、ＬＥＤランプ１２１の光線を反射するように、ＬＥＤランプ１２１の周りに、外筐体１１の収納槽１１２内に対応するように配置されている。ランプカバー１４は、外筐体１１の収納槽１１２及び光反射ミラー１３の開口部を覆う。【選択図】図２
0003163351.tif 000002
【実用新案登録請求の範囲】
【請求項１】
照明装置の本体上に対応するように嵌合し、外筐体、回路基板、光反射ミラー及びランプカバーを備えるＬＥＤ照明モジュール構造であって、
前記外筐体には、前記本体に接続される導電部が端部に設けられ、収納槽が内部に設けられ、放熱機能を備える多数の通気孔溝を有し、
前記回路基板は、前記外筐体の前記収納槽内に対応するように嵌合され、その上に複数のＬＥＤランプが配置され、
前記光反射ミラーは、前記ＬＥＤランプの光線を反射するように、前記ＬＥＤランプの周りに、前記外筐体の前記収納槽内に対応するように配置され、
前記ランプカバーは、前記外筐体の前記収納槽及び前記光反射ミラーの開口部を覆うことを特徴とするＬＥＤ照明モジュール構造。
【請求項２】
前記ＬＥＤランプは、単色ＬＥＤ又は変色ＬＥＤであることを特徴とする請求項１に記載のＬＥＤ照明モジュール構造。
【請求項３】
前記回路基板上には、単色ＬＥＤと変色ＬＥＤとが交互に配置され、
色温度制御回路中のマイクロプロセッサは、ＰＷＭ信号を制御してＬＥＤ電流を調整することにより、光混合、変色及び輝度調整を行うことを特徴とする請求項１に記載のＬＥＤ照明モジュール構造。
【考案の詳細な説明】
【技術分野】
【０００１】
本考案は、ＬＥＤ照明モジュール構造に関し、特に、照明装置の本体上に対応するように取り付けることにより、ＬＥＤモジュールを簡便に交換し、低消費電力及び高輝度のＬＥＤ照明モジュール構造に関する。
【背景技術】
【０００２】
一般に、例えば、懐中電灯、電気スタンド、車両用ライトなどの照明ランプは、タングステンランプ、ハロゲンランプを発光源として用いるものがほとんどである。しかし、タングステンランプ、ハロゲンランプの照明器具は、寿命が短く、電力消費が多いという欠点を有する。そのため、照明用ランプはＬＥＤランプにより次第に代替されてきている。
【０００３】
発光ダイオードは一種の半導体デバイスである。発光ダイオードは、初期の頃、指示ランプ、表示パネルなどに多く利用されていたが、白色発光ダイオードの出現に伴い、照明用にも多く利用されている。発光ダイオードは、高効率、長寿命、高耐久性など、従来の光源とは比べものにならないほど多くの長所を備えた新しいタイプの光源である。発光ダイオードは、正バイアスを印加すると、単色かつ不連続の光を放射するが、これはエレクトロルミネッセンス効果の一種である。また、発光ダイオードは、半導体材料の化学組成を変えることにより、近紫外線、可視光線又は赤外線の光を放射することができる。
【考案の概要】
【考案が解決しようとする課題】
【０００４】
本考案の目的は、メンテナンス及び交換を迅速かつ容易に行うことができる上、小型で占有空間が小さいために運搬コスト及び材料コストを大幅に減らすことができるＬＥＤ照明モジュール構造を提供することにある。
【課題を解決するための手段】
【０００５】
上記課題を解決するために、本考案の第１の形態によれば、照明装置の本体上に対応するように嵌合し、外筐体、回路基板、光反射ミラー及びランプカバーを備えるＬＥＤ照明モジュール構造であって、前記外筐体には、前記本体に接続される導電部が端部に設けられ、収納槽が内部に設けられ、放熱機能を備える多数の通気孔溝を有し、前記回路基板は、前記外筐体の前記収納槽内に対応するように嵌合され、その上に複数のＬＥＤランプが配置され、前記光反射ミラーは、前記ＬＥＤランプの光線を反射するように、前記ＬＥＤランプの周りに、前記外筐体の前記収納槽内に対応するように配置され、前記ランプカバーは、前記外筐体の前記収納槽及び前記光反射ミラーの開口部を覆うことを特徴とするＬＥＤ照明モジュール構造が提供される。
【０００６】
また、前記ＬＥＤランプは、単色ＬＥＤ又は変色ＬＥＤであることが好ましい。
【０００７】
また、前記回路基板上には、単色ＬＥＤと変色ＬＥＤとが交互に配置され、色温度制御回路中のマイクロプロセッサは、ＰＷＭ信号を制御してＬＥＤ電流を調整することにより、光混合、変色及び輝度調整を行うことが好ましい。
【考案の効果】
【０００８】
本考案のＬＥＤ照明モジュール構造は、以下（１）〜（３）の長所を有する。
（１）メンテナンス及び交換を迅速かつ容易に行うことができる。
（２）小型で占有空間が小さいため、運搬コスト及び材料コストを大幅に減らすことができる。
（３）ＬＥＤ技術の発展により、ＬＥＤの輝度が高まり消費電力が少なくなったときに、新しいタイプのＬＥＤに交換することにより、消費電力を減らすことができる。
【図面の簡単な説明】
【０００９】
【図１】本考案の一実施形態によるＬＥＤ照明モジュール構造を示す斜視図である。
【図２】本考案の一実施形態によるＬＥＤ照明モジュール構造を示す断面図である。
【図３】本考案の一実施形態によるＬＥＤ照明モジュール構造を示す斜視図である。
【図４】本考案の一実施形態によるＬＥＤ照明モジュール構造のＬＥＤランプの配列を示す模式図である。
【図５】本考案の他の実施形態によるＬＥＤ照明モジュール構造を示す斜視図である。
【図６】本考案の他の実施形態によるＬＥＤ照明モジュール構造を示す斜視図である。
【図７】本考案の一実施形態によるＬＥＤ照明モジュール構造を示す回路図である。
【考案を実施するための形態】
【００１０】
まず、図１〜図３を参照する。図１〜図３に示すように、本考案の一実施形態によるＬＥＤ照明モジュール１は、照明装置の本体２上に対応するように嵌合し、外筐体１１、回路基板１２、光反射ミラー１３及びランプカバー１４を含む。外筐体１１には、本体２に接続される導電部１１１が端部に設けられ、収納槽１１２が内部に設けられ、放熱機能を備える多数の通気孔溝１１３を有する。
【００１１】
回路基板１２は、外筐体１１の収納槽１１２内に対応するように嵌合され、複数のＬＥＤランプ１２１が回路基板１２上に配置されている。
【００１２】
光反射ミラー１３は、ＬＥＤランプ１２１の光線を反射することができるように、ＬＥＤランプ１２１の周りに、外筐体１１の収納槽１１２内に対応するように配置されている。
【００１３】
ランプカバー１４は、外筐体１１の収納槽１１２及び光反射ミラー１３の開口部を覆うために用いる。
【００１４】
図１〜図６を参照する。図１〜図６に示すように、本考案の一実施形態によるＬＥＤ照明モジュール構造は、回路基板１２上に複数のＬＥＤランプ１２１が配列されている。ＬＥＤランプ１２１は、単色ＬＥＤ又は変色ＬＥＤを用いたり、単色ＬＥＤと変色ＬＥＤとを交互に配置したりし、外筐体１１の収納槽１１２内に回路基板１２を対応するように取り付ける。収納槽１１２の周囲には、光反射ミラー１３が配置され、外筐体１１の収納槽１１２及び光反射ミラー１３の開口箇所をランプカバー１４で覆う。ランプカバー１４の内側面と光反射ミラー１３との間には、ＬＥＤランプ１２１から照射される光線を散乱するために用いる１層の拡散膜１４１が設けられている。その後、導電部１１１により、本体２上にＬＥＤ照明モジュール１を結合させると、一般の照明設備（例えば、電気スタンド、蛍光灯など）として使用する場合には、本体２の挿通孔２１に、挿着ガイドピン１１４の導電部１１１を対応するように嵌合し、本体２が高電圧装置の場合には、本体２の挿通杆２２に、挿入ガイド孔１１５の導電部１１１を対応するように嵌合したりする。このように、本実施形態のＬＥＤ照明モジュール構造は、様々な組み合わせ方式により接続することにより、様々な用途に使用することができる。
【００１５】
また、図７を参照する。図７に示すように、本考案の一実施形態によるＬＥＤ照明モジュール構造を実際に使用する際、ＬＥＤランプ１２１は、回路基板１２上の色温度制御回路を利用し、ＬＥＤランプ１２１の色の変化に応じ、主に白色及び温白色の２種類の異なる色温度ＬＥＤを使用する。２種類の異なる色温度ＬＥＤの電流を回路により制御し、白色及び温白色の強度をそれぞれ調整して割合を変えることにより、光混合効果を得ることができる。これにより、照明用光源の色温度を白色と温白色との間で調整することができる。そのため、各色温度は、同じ比率の電流の大きさでその照度を調整することにより、照明の色を変化させることができる。色温度制御回路は、定電流ＬＥＤ駆動ＩＣ（例えば、ＰＴ４１１５）により高輝度ＬＥＤに必要な電流を供給する。駆動回路は、入力ピンＤＩＭ端部を有し、ＰＷＭ信号のデューティサイクルの大きさにより、ＬＥＤが得るパワーの大きさを制御する。ＰＷＭ信号は、マイクロプロセッサ（例えば、８９Ｓ５Ｘ）により生成する。マイクロプロセッサの回路モジュールは、白色及び温白色のＬＥＤに必要な電流をそれぞれ制御し、輝度を変えることができる。また、同じ輝度を維持しながら、白色と温白色との間の色温度を調整することができる。
【００１６】
図２を参照する。図２に示すように、回路基板１２は、ＬＥＤランプ１２１に対応した端面に設けられた放熱フィン１５を有する。この放熱フィン１５は、ＬＥＤランプ１２１からの熱を放熱するために用いる。外筐体１１上には、内部の温度を下げるために、放熱機能を備えた多数の通気孔溝１１３が配置されている。
【００１７】
上述したことから分かるように本考案のＬＥＤ照明モジュール構造は、以下（１）〜（３）の長所を有する。
（１）メンテナンス及び交換を迅速かつ容易に行うことができる。
（２）小型で占有空間が小さいため、運搬コスト及び材料コストを大幅に減らすことができる。
（３）ＬＥＤ技術の発展により、ＬＥＤの輝度が高まり消費電力が少なくなったときに、新しいタイプのＬＥＤに交換することにより、消費電力を減らすことができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  ＬＥＤ照明モジュール
２  本体
１１  外筐体
１２  回路基板
１３  光反射ミラー
１４  ランプカバー
１５  放熱フィン
２１  挿通孔
２２  挿通杆
１１１  導電部
１１２  収納槽
１１３  通気孔溝
１１４  挿着ガイドピン
１１５  挿入ガイド孔
１２１  ＬＥＤランプ
１４１  拡散膜
【図１】
0003163351.tif 000003
【図２】
0003163351.tif 000004
【図３】
0003163351.tif 000005
【図４】
0003163351.tif 000006
【図５】
0003163351.tif 000007
【図６】
0003163351.tif 000008
【図７】
0003163351.tif 000009